(57)【要約】【課題】  棒状体のしなりを有効利用するスイングを容易に行うことができる球技用の棒状体を提供する。【解決手段】  球技用またはその練習用として使用することができる球技用の棒状体１であって、長尺状の本体１０の基端側に把持部２０を備えており、本体１０は、中間部１９を介して互いに接続される第１の高剛性部１２および第２の高剛性部１４を備え、第１の高剛性部１２および第２の高剛性部１４は、いずれも偏平な断面形状を有し、それぞれの偏平形状の長手方向が互いに交差するように配置されており、中間部１９は、第１の高剛性部１２および第２の高剛性部１４よりも剛性が低い。【選択図】  図１
2015085005.tif 000002
【特許請求の範囲】
【請求項１】
球技用またはその練習用として使用することができる球技用の棒状体であって、
長尺状の本体の基端側に把持部を備えており、
前記本体は、中間部を介して互いに接続される第１の高剛性部および第２の高剛性部を備え、
前記第１の高剛性部および第２の高剛性部は、いずれも偏平な断面形状を有し、それぞれの偏平形状の長手方向が互いに交差するように配置されており、
前記中間部は、前記第１の高剛性部および第２の高剛性部よりも剛性が低い球技用の棒状体。
【請求項２】
前記本体は、先端部にボールの打撃部を備える請求項１に記載の球技用の棒状体。
【請求項３】
前記打撃部は、重心位置を調整するための重心位置調整手段を備える請求項２に記載の球技用の棒状体。
【請求項４】
前記打撃部の加減速により前記打撃部に対して相対移動する移動体を備える請求項２または３に記載の球技用の棒状体。
【請求項５】
前記把持部は、基端側から先端側に向けて、第３の高剛性部、第１の低剛性部、第４の高剛性部および第２の低剛性部が順次配置されており、
前記第１の低剛性部および第２の低剛性部は、前記第３の高剛性部および第４の高剛性部よりも剛性が低い請求項１から４のいずれかに記載の球技用の棒状体。
【発明の詳細な説明】
【技術分野】
【０００１】
本発明は、球技用の棒状体に関し、より詳しくは、ゴルフや野球等のボールを打撃する球技またはその練習用に使用することができる球技用の棒状体に関する。
【背景技術】
【０００２】
ゴルフや野球のようにクラブやバット等の棒状体でボールを打撃する球技においては、ボールを強く、遠くまで飛ばすことが一つの課題とされる。このような課題に対しては、棒状体のしなりを利用することが有効であるため、従来からしなりを良くするための棒状体の構成が検討されている。例えば、特許文献１には、シャフトの長手方向に沿って曲げ剛性を変化させて、曲げ剛性低下領域を複数設けることで、シャフトのしなりの向上を図ったゴルフクラブシャフトが開示されている。
【先行技術文献】
【特許文献】
【０００３】
【特許文献１】特開２００５−１５２６１３号公報
【発明の概要】
【発明が解決しようとする課題】
【０００４】
ところが、上記特許文献１に開示されたシャフトは、シャフト自体のしなりが軸方向の各位置で任意の方向に生じるために、使用者が効率的なスイングをイメージし難いだけでなく、スイングのばらつきがあってもそれらの違いを体感し難いことから、シャフトのしなりを効率良く利用することが困難であった。
【０００５】
そこで、本発明は、棒状体のしなりを有効利用するスイングを容易に行うことができる球技用の棒状体の提供を目的とする。
【課題を解決するための手段】
【０００６】
本発明の前記目的は、球技用またはその練習用として使用することができる球技用の棒状体であって、長尺状の本体の基端側に把持部を備えており、前記本体は、中間部を介して互いに接続される第１の高剛性部および第２の高剛性部を備え、前記第１の高剛性部および第２の高剛性部は、いずれも偏平な断面形状を有し、それぞれの偏平形状の長手方向が互いに交差するように配置されており、前記中間部は、前記第１の高剛性部および第２の高剛性部よりも剛性が低い球技用の棒状体により達成される。
【０００７】
この球技用の棒状体において、前記本体は、先端にボールの打撃部を備えることが好ましい。
【０００８】
前記打撃部は、重心位置を調整するための重心位置調整手段を備えることが好ましい。
【０００９】
また、前記打撃部の加減速により前記打撃部に対して相対移動する移動体を備えることが好ましい。
【００１０】
また、前記把持部は、基端側から先端側に向けて、第３の高剛性部、第１の低剛性部、第４の高剛性部および第２の低剛性部が順次配置されていることが好ましく、前記第１の低剛性部および第２の低剛性部は、前記第３の高剛性部および第４の高剛性部よりも剛性が低いことが好ましい。
【発明の効果】
【００１１】
本発明によれば、棒状体のしなりを有効利用するスイングを容易に行うことができる球技用の棒状体を提供することができる。
【図面の簡単な説明】
【００１２】
【図１】本発明の一実施形態に係る球技用の棒状体の正面図である。
【図２】図１に示す球技用の棒状体における、（ａ）Ａ−Ａ断面図、および、（ｂ）Ｂ−Ｂ断面図である。
【図３】本発明の他の実施形態に係る球技用の棒状体の要部斜視図である。
【図４】本発明の更に他の実施形態に係る球技用の棒状体の要部斜視図である。
【図５】図１に示す球技用の棒状体の使用方法を説明するための図である。
【図６】本発明の更に他の実施形態に係る球技用の棒状体の正面図である。
【図７】本発明の更に他の実施形態に係る球技用の棒状体の要部拡大図である。
【図８】本発明の更に他の実施形態に係る球技用の棒状体の要部拡大図である。
【図９】本発明の更に他の実施形態に係る球技用の棒状体の正面図である。
【発明を実施するための形態】
【００１３】
以下、本発明の実施の形態について、添付図面を参照して説明する。図１は、本発明の一実施形態に係る球技用の棒状体の正面図である。図１に示す球技用の棒状体１は、ゴルフクラブまたはゴルフスイングの練習具として使用されるものであり、長尺状の本体１０と、本体１０の基端側に設けられた把持部（グリップ）２０と、本体１０の先端側に設けられた打撃部（ヘッド）３０とを備えている。
【００１４】
本体１０は、偏平な断面形状を有する第１の高剛性部１２および第２の高剛性部１４を備えており、本体１０の軸線Ｌに沿って第１の高剛性部１２の基端側に第２の高剛性部１４が配置されている。第１の高剛性部１２および第２の高剛性部１４は、例えば金属材料や合成樹脂等からなり、ある程度の厚み（例えば１ｃｍ程度）を有しており、形状的には使用者に対して厚み方向のしなりを想起させつつ、実際には、厚み方向の撓みが生じ難いように構成されている。
【００１５】
図２（ａ）および（ｂ）は、それぞれ図１のＡ−Ａ断面図およびＢ−Ｂ断面図である。図２（ａ）および（ｂ）に示すように、第１の高剛性部１２および第２の高剛性部１４の偏平な断面形状の長手方向Ｄ１，Ｄ２は、本体１０の軸方向に見たときに、互いに交差するように配置されている。これにより、使用者に対して、第１の高剛性部１２および第２の高剛性部１４のそれぞれの厚み方向である２方向に、本体１０をしならせるイメージを想起させ易くすることができる。第１の高剛性部１２および第２の高剛性部１４の交差角度は、特に限定されるものではないが、本実施形態のように互いに直交することが好ましい。
【００１６】
中間部１９は、第１の高剛性部１２および第２の高剛性部１４の間に介在されており、両端部がそれぞれ第１の高剛性部１２および第２の高剛性部１４の端部に溶接により固定されている。第１の高剛性部１２および第２の高剛性部１４と中間部１９とを連結する手段は、接着や嵌合、あるいはねじやリベットを用いた固定等、両者を確実に結合可能であれば特に限定されるものではなく、更には両者を着脱可能な構成であってもよい。第１の高剛性部１２、中間部１９および第２の高剛性部１４は、それぞれの中心線が本体１０の軸線Ｌに沿って一直線上に配置されることが好ましい。
【００１７】
中間部１９は、第１の高剛性部１２および第２の高剛性部１４よりも剛性が低くなるように構成されている。すなわち、中間部１９の任意の方向における曲げ剛性は、同じ方向での第１の高剛性部１２および第２の高剛性部１４のいずれの曲げ剛性よりも低くなるように設定されている。また、本体１０の軸線まわりにおける中間部１９のねじり剛性は、第１の高剛性部１２および第２の高剛性部１４のいずれのねじり剛性よりも低くなるように設定されている。中間部１９の曲げ剛性およびねじり剛性は、例えば従来のゴルフクラブのシャフトの曲げ剛性およびねじり剛性とそれぞれ同程度に設定することが好ましい。
【００１８】
具体的には、中間部１９の材質を、第１の高剛性部１２および第２の高剛性部１４の材質と同様にして、中間部１９を、第１の高剛性部１２および第２の高剛性部１４の厚みよりも直径が小さい円筒状に形成することができる。あるいは、第１の高剛性部１２および第２の高剛性部１４よりもヤング率が小さい材質から中間部１９を構成することで、中間部１９の曲げ剛性およびねじり剛性を低くすることができる。中間部１９は、先細のテーパ状に形成する等して軸方向の剛性分布を生じさせることも可能である。この場合には、中間部１９の曲げ剛性およびねじり剛性の最大値が、第１の高剛性部１２および第２の高剛性部１４の曲げ剛性およびねじり剛性の最小値よりも小さいことが好ましい。
【００１９】
中間部１９の曲げ剛性は、等方性を示すことが好ましいが、必ずしもこれに限定されるものではない。例えば、中間部１９を、第１の高剛性部１２および第２の高剛性部１４の形状からイメージされる撓み方向（すなわち、第１の高剛性部１２および第２の高剛性部１４の厚み方向）に可撓変形が生じ易い構成にすることができる。図３は、このような中間部１９の一例を示すものであり、可撓性を有する複数の帯板１９１を、一対の端板１９２，１９２間に配置し、第１の高剛性部１２および第２の高剛性部１４の長辺および短辺に合わせて、各帯板１９１を配置してもよい。これにより、中間部１９を、曲げ変形だけでなく、ねじり変形も生じ易い構成にすることができる。あるいは、図４に示すように、中間部１９を、外周面の軸方向に複数のスリット１９３を有する円筒体１９４により構成することができる。中間部１９は、上記以外に、ゴム等の弾性材料からなる中実または中空の部材や、コイルばね等のバネ材等から構成することもできる。
【００２０】
把持部２０および打撃部３０は、本体１０の両端部にそれぞれ溶接により固定されている。本体１０に対する把持部２０および打撃部３０の固定についても、上述した第１の高剛性部１２および第２の高剛性部１４と中間部１９との連結の場合と同様に、他の公知の結合手段を適宜用いることができる。打撃部３０に対する第１の高剛性部１２の向きは、打撃部３０の打撃面であるフェースを打撃目標に向けたときに、第１の高剛性部１２の幅広面が打撃目標に対向するように設定されている。但し、第１の高剛性部１２および第２の高剛性部１４の向きを入れ替えて、打撃部３０のフェースを目標に合わせたときに、第２の高剛性部１４の幅広面が目標を向くように構成してもよい。
【００２１】
上記の構成を備える球技用の棒状体１は、図５に示すように、使用者が、ボールＢの前に立って図の右方向である打撃目標に向けてアドレスをとり、打撃部３０のフェースおよび第１の高剛性部１２の幅広面を打撃目標に向けた状態から、ゴルフスイングの要領で使用することができる。第１の高剛性部１２および第２の高剛性部１４は、偏平な断面形状の長手方向が互いに交差するように配置されていることから、アドレス状態の使用者に対して、本体１０が異なる２方向にしなるイメージを視覚的に生じさせることができる。
【００２２】
使用者は、このイメージに従って、バックスイングおよびダウンスイングを行う。すなわち、使用者は、バックスイングにおいて、第１の高剛性部１２を厚み方向にしならせるイメージで振り上げた後、第２の高剛性部１４を厚み方向にしならせるイメージで更に振り上げて、第２の高剛性部１４がスイング方向に撓んだ状態をイメージする。この後、使用者は、ダウンスイングにおいて、撓んだ状態の第２の高剛性部１４を逆方向にしならせるイメージで振り下ろした後、このしなりにより打撃部３０に下方への慣性力が生じることをイメージしながら第１の高剛性部１２を厚み方向にしならせるイメージで更に振り下ろし、第１の高剛性部１２がスイング方向に撓み変形するイメージでボールＢを打撃する。このように、バックスイングおよびダウンスイングのいずれにおいても、本体１０をしならせる方向を途中で変化させる２段階スイングを行うことで、本体１０のしなりを効果的に利用したスイングを行うことができる。
【００２３】
球技用の棒状体１の実際の挙動としては、第１の高剛性部１２および第２の高剛性部１４は、剛性が高いために変形がほとんど生じず、使用者がイメージしたしなりは、主として中間部１９に生じる。すなわち、使用者がバックスイングまたはダウンスイングの途中で意識的に方向を変えた本体１０のしなりが、いずれも中間部１９に異なる２方向への曲げ変形として生じ、しなりの方向変化に伴う本体１０のねじれ変形も、主として中間部１９に生じる。このように、使用者は、第１の高剛性部１２および第２の高剛性部１４の形状から視覚的に想起されるイメージに沿ってスイングを行いつつ、実際には、スイング中の本体１０に対して、従来のゴルフクラブと同様の曲げ変形およびねじり変形を生じさせることができるので、棒状体のしなりを有効利用するスイングを容易に行うことができる。また、この球技用の棒状体１を練習用として使用する場合には、使用者が一般的なゴルフクラブを本実施形態の球技用の棒状体１と同じイメージでスイングすることにより、上達を促すことができる。
【００２４】
球技用の棒状体１を使用してスイングを行う際には、使用者が、第１の高剛性部１２および第２の高剛性部１４をそれぞれ厚み方向にしならせるイメージを想起し易いように、手や腰などの体の各部の軌道や、打撃部３０などの棒状体１の各部の軌道を表示したスイングシートを壁などに貼り付けて、表示された軌道に沿って体や棒状体１を動かすようにしてもよい。このスイングシートは、使用者の周りを囲むように円筒状に形成して、使用者の前傾姿勢に合わせて軸線を傾斜させることにより、使用者が表示された軌道をなぞるようにスイングを行うことができ、効率的なスイングをより容易に体得することができる。
【００２５】
第１の高剛性部１２および第２の高剛性部１４の断面形状は、仮想的なしなり方向を視覚的にイメージし易いように偏平な形状であればよく、本実施形態のような矩形状の断面以外に、楕円状、菱形状、多角形状、帯状など種々の形状であってもよい。また、円筒状の従来のゴルフシャフトの２箇所に、偏平な断面形状を有する部材をそれぞれ長手方向の向きを変えて外嵌することにより、第１の高剛性部１２および第２の高剛性部１４を構成することも可能である。この場合は、円筒状のシャフトに対して第１の高剛性部１２および第２の高剛性部１４を間隔をあけて配置することにより、第１の高剛性部１２および第２の高剛性部１４の間に露出するシャフト部分を、中間部１９として機能させることができる。第１の高剛性部１２および第２の高剛性部１４のしなり方向を視覚に訴える構成として、第１の高剛性部１２および第２の高剛性部１４に色や模様などを付加することもできる。
【００２６】
以上、本発明の一実施形態について詳述したが、本発明の具体的な態様は上記実施形態には限定されない。例えば、図１に示す球技用の棒状体１において、打撃部３０は、重心位置調整手段により重心位置を調整可能に構成されていることが好ましい。図６に示す重心位置調整手段４０は、本体１０の先端に固定されて軸方向に延びるボルト部４２と、ボルト部４２に螺合される２つのナット４４ａ，４４ｂとを備えており、打撃部３０に設けられた円筒状の挿通部３２をボルト部４２に挿通してナット４４ａ，４４ｂで挟持することにより、打撃部３０の重心位置を本体１０の軸方向に移動させて、所望の位置で固定することができる。重心位置調整手段としては、長さが異なる種々の調整部材を予め用意して、本体１０と打撃部３０との間に適宜介在させることにより、打撃部３０の重心位置を本体１０の軸方向に調整できる構成であってもよい。
【００２７】
また、図６に示す重心位置調整手段４０において、ボルト部４２の軸方向と直交する方向に延びるように他のボルト部を挿通部３２に固定し、このボルト部に沿って打撃部３０を移動可能に構成することで、打撃部３０の重心位置を、本体１０の軸線方向だけでなく、これと直交する方向にも調整できるように構成してもよい。更に、上記と同様の方法で、打撃部３０の重心位置を、直交する３軸方向に移動可能に構成することもできる。これらの構成によれば、打撃部３０の重心位置の違いによる中間部１９のしなりやねじれの変化を容易に体感することができ、使用者に合ったクラブフィッテイングや効率的なスイングの体得をより容易にすることができる。重心位置調整手段４０は、打撃部３０に対して着脱可能あるいは移動可能とされた錘体により構成することもできる。
【００２８】
また、図７に示すように、打撃部３０を中空のウッド型ヘッドとして、打撃部３０の一部（例えば、上部のクラウン部３４）を透明材料により形成し、打撃部３０の内部にスポンジボールやピンポン球等の移動体５０を移動可能に設けることもできる。この構成によれば、スイング中の打撃部３０の加減速による移動体５０の動きを、透明なクラウン部３４を介して目視することができ、打撃部３０に作用するモーメントの方向や大きさを、使用者が容易に理解することができる。打撃部３０は、必ずしも透明部を備える必要はなく、打撃部３０の加減速により移動体５０が打撃部３０の内壁面に衝突したときの手応えにより、打撃部３０の動きを把握することもできる。打撃部３０の内部には、打撃部３０が正しい動きをした場合にのみ移動体５０が移動できるように移動路を形成してもよく、スイング開始時に始点に位置する移動体５０がスイング終了時に終点まで移動したか否かを確認することで、スイングチェックを行うこともできる。移動体５０は、ばね等の弾性部材に連結して、スイング中に打撃部３０から飛び出す様子を確認できるように構成してもよい。
【００２９】
図８に示すように、把持部２０は、基端側から先端側に向けて、第３の高剛性部２６、第１の低剛性部２７、第４の高剛性部２８および第２の低剛性部２９を順次配置することができる。第１の低剛性部２７および第２の低剛性部２９は、第３の高剛性部２６および第４の高剛性部２８よりも曲げ剛性が低くなるように設定されており、それぞれの間で曲げ剛性が不連続に変化する。把持部２０を従来のグリップと同様にゴム材等から形成する場合には、表面の一部に革ベルトなどを巻き付けて第３の高剛性部２６および第４の高剛性部２８を形成し、残部を第１の低剛性部２７および第２の低剛性部２９とすることができる。あるいは、把持部２０が挿入されるシャフトに予め巻き付ける両面テープの巻数を軸方向で変化させて、所望の剛性分布を形成するようにしてもよい。第１の低剛性部２７および第２の低剛性部２９でのしなりを生じ易くするため、把持部３０が挿入されるシャフト部分は、従来よりも細いことが好ましく、先端側から基端側に向けて徐々に細くなる逆テーパ状であってもよい。
【００３０】
図８に示す把持部２０は、使用者が右打ちの場合、左手の中指、薬指、小指の３本が第３の高剛性部２６を握り、右手の人差し指が第４の高剛性部２８を握るように、第３の高剛性部２６および第４の高剛性部２８の位置および軸方向長さが設定されていることが好ましい。この構成によれば、第３の高剛性部２６と第１の低剛性部２７との間、および、第４の高剛性部２８と第２の低剛性部２９との間を支点として、スイング中に第１の低剛性部２７および第２の低剛性部２９にそれぞれ異なる方向への撓みを生じさせることができ、上述した２段階スイングをより容易に行うことができる。
【００３１】
本発明は、ゴルフ以外にも、棒状体でボール状の被打撃物を打撃する広義の各種球技に適用可能であり、例えば、テニスやバドミントンのラケット、アイスホッケーのスティック、野球のバット等にも適用することができる。更に、本発明の球技用の棒状体は、被打撃物を打撃する以外に、野球ボール等のボールの投球練習用として使用することもできる。すなわち、図１に示す棒状体１において、図９に示すように、把持部２０を野球ボール等と略同じ大きさを有する球状体にする一方、打撃部３０の代わりに球状等の錘体１３０を設けることにより、棒状体１を構成することができる。図９に示す棒状体１によれば、使用者が把持部２０をボールに見立てて投球動作を行うことにより、第１の高剛性部１２および第２の高剛性部１４の撓みをイメージしながら中間部１９をしならせることができ、慣性力を利用した効率の良い投球フォームを容易に体感することができる。
【符号の説明】
【００３２】
１  球技用の棒状体
１０  本体
１２  第１の高剛性部
１４  第２の高剛性部
１９  中間部
２０  把持部
３０  打撃部
【図１】
2015085005.tif 000003
【図２】
2015085005.tif 000004
【図３】
2015085005.tif 000005
【図４】
2015085005.tif 000006
【図５】
2015085005.tif 000007
【図６】
2015085005.tif 000008
【図７】
2015085005.tif 000009
【図８】
2015085005.tif 000010
【図９】
2015085005.tif 000011